(57)【要約】【課題】旧紙幣回収機能を有する紙幣処理装置において、旧紙幣回収と休止期間の短縮とを両立させることが可能な紙幣処理装置を提供することである。【解決手段】本発明の紙幣処理装置は、紙幣の入出金を行なう自動機に備えられる。そして、新旧の紙幣の分別を行う鑑別部２３と、分別された新紙幣を収容するスタッカ２４−１、及び２４−２と、新紙幣を収容し、前記スタッカ２４−１、及び２４−２の少なくとも１つの紙幣の量が所定枚数以下の場合に前記新紙幣を前記スタッカ２４−１、及び２４−２の少なくとも１つに補充する補充金庫２６と、分別された旧紙幣を収容する回収金庫２５とを備える。【選択図】      図２
2004213289.tif 000002
【特許請求の範囲】
【請求項１】
紙幣の入出金を行なう自動機に備えられた紙幣処理装置において、
新旧の紙幣の分別を行う鑑別手段と、
分別された新紙幣を収容するスタッカ手段と、
新紙幣を収容し、前記スタッカ手段の紙幣の量が所定枚数以下の場合に前記新紙幣を前記スタッカ手段に補充する補充用紙幣収容手段と、
分別された旧紙幣を収容する旧紙幣回収手段とを備えることを特徴とする紙幣処理装置。
【請求項２】
前記スタッカ手段に収容された新紙幣が所定枚数以下になったとき、前記旧紙幣回収手段から前記スタッカ手段に補充を行うことにより出金休止を回避する制御を行う制御手段をさらに備えることを特徴とする請求項１記載の紙幣処理装置。
【請求項３】
前記スタッカ手段に収容された新紙幣が所定枚数以下になったとき、前記自動機に入金された紙幣のうちで、新紙幣を前記スタッカ手段に収容し、かつ、前記自動機に入金された紙幣のうちで、旧紙幣を前記旧紙幣回収手段に収容することにより出金休止を回避する制御を行う制御手段をさらに備えることを特徴とする請求項１記載の紙幣処理装置。
【請求項４】
前記旧紙幣回収手段がフルになった場合に、前記補充用紙幣収容手段に前記旧紙幣を格納して入金休止を回避する制御を行う制御手段をさらに備えることを特徴とする請求項１記載の紙幣処理装置。
【請求項５】
紙幣の入出金を行なう自動機に備えられた紙幣処理装置が行う紙幣処理の方法において、
鑑別手段により新旧の紙幣の分別を行い、
分別された新紙幣をスタッカ手段に収容し、
補充用紙幣収容手段に新紙幣を収容し、前記スタッカ手段の分別された新紙幣の量が所定枚数以下の場合に前記新紙幣を前記分別された新紙幣に補充し、
分別された旧紙幣を旧紙幣回収手段に収容することを特徴とする紙幣処理方法。
【発明の詳細な説明】
【０００１】
【発明の属する技術分野】
本発明は、新紙幣と旧紙幣を分別すると共に、旧紙幣を回収する紙幣処理装置に関する。
【０００２】
【従来技術】
従来、紙幣の入出金を行う自動機がある。この自動機は、利用者が入力部（タッチパネルなど）を介して行う紙幣の入出金指示に応じて、紙幣を必要量だけ入出金する。
【０００３】
このような自動機においては、補充用の紙幣を収容する金庫、及びスタッカの収容量がなくなった場合には、自動機の動作を休止してしまう。そこで、その金庫、及びスタッカの紙幣の収容量がなくなることによって起こる休止期間をなるべく短くするような方法が考えられている。例えば特許文献１では、現金自動取扱装置において、入金された紙幣を出金用紙幣として還流させることで、紙幣の補充動作を顧客を待たせることなく行っている。
【０００４】
【特許文献１】
特開昭６０−１２２４９１「還流式現金自動取扱装置」
【０００５】
【発明が解決しようとする課題】
また、発行が予定される新紙幣（千円券、万円券、など）に対応して、銀行では旧券回収と新券流通の推進が必要になる。しかし、自動機は旧券を回収する機能がなく、入金された旧券が出金される問題がある。
【０００６】
本発明の課題は、旧紙幣回収機能を有する紙幣処理装置を提供することである。
また更に、このような旧紙幣回収機能を有する自動機において、新紙幣がなくなった場合や、旧紙幣の回収部が満杯になってしまった場合などにその自動機が動作を休止することになり、旧紙幣回収機能を有しない自動機と比較し動作休止が発生する可能性は高くなる。
【０００７】
このような場合に、その旧紙幣回収機能を有する自動機に例えば特許文献１に記載した方法をそのまま適用してもそれほど休止期間は短縮しない。
本発明の別の課題は、旧紙幣回収機能を有する紙幣処理装置において、旧紙幣回収と休止期間の短縮とを両立させることが可能な紙幣処理装置を提供することである。
【０００８】
【課題を解決するための手段】
本発明は、上記課題を解決するため、下記のような構成を採用した。
すなわち、本発明の一態様によれば、本発明の紙幣処理装置は、紙幣の入出金を行なう自動機に備えられた紙幣処理装置において、新旧の紙幣の分別を行う鑑別手段と、分別された新紙幣を収容するスタッカ手段と、新紙幣を収容し、上記スタッカ手段の紙幣の量が所定枚数以下の場合に上記新紙幣を上記スタッカ手段に補充する補充用紙幣収容手段と、分別された旧紙幣を収容する旧紙幣回収手段とを備えることを特徴とする紙幣処理装置である。
【０００９】
ここで、上記鑑別手段によって紙幣の新旧が分別され、その結果、旧紙幣に分別された紙幣が上記旧紙幣収容手段に収容されることで、旧紙幣の回収を行うことができる。
【００１０】
また、本発明の紙幣処理装置は、出金動作、または入金動作の休止を回避するように上記各手段の少なくとも１つを制御する制御手段をさらに備えることができる。
【００１１】
上記制御手段によって、紙幣を収容する各手段における紙幣の収容量が増減される。例えば、上記スタッカ手段に収容された新紙幣が所定枚数以下になったとき、上記旧紙幣回収手段から上記スタッカ手段に補充を行うことにより出金休止を回避したり、上記スタッカ手段に収容された新紙幣が所定枚数以下になったとき、上記自動機に入金された紙幣のうちで、新紙幣を上記スタッカ手段に収容し、かつ、上記自動機に入金された紙幣のうちで、旧紙幣を上記旧紙幣回収手段に収容することにより出金休止を回避したり、上記旧紙幣回収手段がフルになった場合に、上記補充用紙幣収容手段に上記旧紙幣を格納して入金休止を回避したりすることができ、旧紙幣の回収と、装置動作の休止期間の短縮とを両立させることが可能となる。
【００１２】
【発明の実施形態】
以下、本発明の実施の形態を図面を参照しながら説明する。
本発明の要点は、旧紙幣を回収する機能を有する紙幣処理装置において、旧紙幣回収と休止期間の短縮とを両立させることが可能な紙幣処理装置を提供することである。
【００１３】
図１は、本実施形態の紙幣処理装置の構成を示すブロック図である。
図１において、紙幣処理装置１０は、紙幣処理部２０と、制御部３０とから構成される。制御部３０は、紙幣処理部２０と各種情報をやり取りすることで、紙幣処理部を構成する各部に対する制御を行う。
【００１４】
図２に、紙幣処理部２０の構成図を示す。図２において、紙幣処理部２０は、入出金口２１と、プール部２２と、鑑別部２３と、スタッカ２４−１、及び２４−２と、回収金庫２５と、補充金庫２６とから構成される。
【００１５】
ここで、鑑別部２３は、上記した入出金口２１、プール部２２、スタッカ２４−１、及び２４−２、回収金庫２５、補充金庫２６の各部の間での紙幣の移動に際して、紙幣の種別（千円券、万円券、など）や、紙幣の新旧を判別する。
【００１６】
スタッカ２４−１、及び２４−２は、入出金口２１を介して出金する紙幣を収容する。また、スタッカ２４−１、及び２４−２は、紙幣の種別に対応して設けられており、スタッカ２４−１は万円券用、スタッカ２４−２は千円券用のスタッカである。また、これらスタッカ２４−１、及び２４−２は、先入れ先出し方式で紙幣を収容する。尚、図中で、ＲＪ−Ａ、ＲＪ−Ｂ、ＲＪ−Ｃは、損券、二千円券、新五千円券を収容するリジェクトボックスである。すなわち、これらリジェクトボックスには、スタッカが対応できていない新券（例えば新五千円券など）などを収容する。
【００１７】
回収金庫２５は、基本的に旧紙幣を回収する金庫である。また、補充金庫２６は、新紙幣を収容し、スタッカ２４−１、または２４−２に収容される紙幣の量が所定量以下になったときに、それらスタッカ２４−１、または２４−２に新紙幣を補充する。これら回収金庫２５、及び補充金庫２６は、後入れ先出し方式で紙幣を収容する。
【００１８】
尚、本実施形態においては、紙幣処理装置１０は、装置動作のモードを示す以下の２つの情報を、その管理者等が不図示の管理者入力部を介して入力し設定することができる。
【００１９】
まず、全ての処理を新旧分別モードで行なうか新旧混在モードで行なうかを示す第１のフラグは、全ての処理において、鑑別部２３が紙幣の新旧を判別するか否かを示すフラグであり、新旧分別モードの場合は、鑑別部２３が紙幣の新旧を判別し、新旧混在モードの場合は、鑑別部２３が紙幣の新旧を判別しない。
【００２０】
次に、入金収納処理を新旧分別モードで行なうか新旧混在モードで行なうかを示す第２のフラグは、入金収納処理において、鑑別部２３が紙幣の新旧を判別するか否かを示すフラグであり、新旧分別モードの場合（以下、運用パターン２という）は、鑑別部２３が紙幣の新旧を判別し、新旧混在モードの場合（以下、運用パターン１という）は、鑑別部２３が紙幣の新旧を判別しない。
【００２１】
すなわち、図１の制御部３０は、紙幣処理装置１０が行う処理が入金収納処理以外の処理である場合は、上記第１のフラグを参照して鑑別部２３がその鑑別部２３を経由する紙幣の新旧を判別するか否かを決め、紙幣処理装置１０が行う処理が入金収納処理である場合は、上記第２のフラグを参照して鑑別部２３がその鑑別部２３を経由する紙幣の新旧を判別するか否かを決める。
【００２２】
尚、上記スタッカ２４−１、２４−２、回収金庫２５、補充金庫２６のそれぞれにおける紙幣の収容量は不図示の監視部により監視されている。補充金庫２６を例にとると、その紙幣の収容量は、例えば補充金庫２６の（堆積）紙幣の高さを検知するセンサーによって求められ、その補充金庫内の紙幣の収容量が所定量以下であるかを上記監視部は監視している。そして、紙幣の収容量が所定量以下となった場合に、そのことを示す情報が監視部から制御部３０に送られる。制御部３０では、その受け取った情報を加味しつつ、紙幣処理部２０に対し所定の指示を出す。その指示は後述するように例えば、入金収納処理時には、入金した紙幣の収容場所としてスタッカ２４−１、または２４−２を指定したり、また、補充処理時には、補充金庫２６に紙幣を補充する補充元として回収金庫２５を指定したりするものである。
【００２３】
本実施形態においては、紙幣処理装置２０は例えば自動機に備えられており、利用者はその自動機を介して紙幣の入出金を行う。
以下では、この紙幣処理装置２０が行う各処理ごとにその装置動作を説明する。すなわち、（１）入金一次処理、（２）入金収納処理、（３）出金処理、（４）補充処理、（５）精査処理、の各処理について説明する。尚、以下の説明においては、簡単のため、特に図中では、新券／旧券とも「万円券」につき、動作等を記載するが、図２の紙幣処理装置１０では、紙幣の種別（千円券、万円券、など）ごとにスタッカ２４−１（万円券用）、スタッカ２４−２（千円券用）が設けられており、鑑別部２３を経由した紙幣は、基本的には、鑑別部２３が行う紙幣の種別の判別結果に対応するスタッカに収容される。
【００２４】
また、以下の説明では、紙幣処理装置は、特にことわらない限り、新旧分別モードにて動作する。
まず、図３を参照して、（１）入金一次処理について説明する。この処理においては、まず、利用者は入出金口２１を介して紙幣を入金する（図３（ａ））。その入出金した紙幣は一旦、鑑別部２３を経由することによりその種別（千円券、万円券など）や新旧を判別され、その後、一旦、プール部２２に収容される（図３（ｂ））。
【００２５】
次に、図４を参照して、（２）入金収納処理について説明する。この処理は、例えば上記入金一次処理の結果、利用者が入金した金額が自動機の表示部に表示され、利用者がその全額を入金する指示を表示部（タッチパネル）などを介して行った場合に、上記入金一次処理に続いて行われる処理である。この処理においては、プール部２２に一旦収容された紙幣（図４（ａ））は、鑑別部２３を介して種別や新旧を判別され、新券であれば、スタッカ２４−１、または２４−２に、また、旧券であれば、回収金庫２５に分別して収容される（図４（ｂ））。尚、この入金収納処理に伴って生じる可能性がある、紙幣処理装置の動作休止を回避する方法については後述する。
【００２６】
次に、図５を参照して、（３）出金処理について説明する。尚、本実施形態における紙幣処理装置は、旧券回収機能を有するものであるから、この出金処理においては、基本的には新券を利用者の指示に応じて出金することになる。すなわち、利用者の出金指示に基づいて、スタッカ２４−１に収容されている紙幣の集まり（堆積紙幣、図５（ａ））から紙幣が順次繰り出され、鑑別部２３を経由することによって、その種別（千円券、または万円券）や新旧を判別され、その利用者の指示した金額が入出金口２１に送られる（収容される）（図５（ｂ））。尚、鑑別部２３によって旧紙幣と判別された紙幣は、回収金庫２５へ収容される。
【００２７】
次に、図６を参照して、（４）補充処理について説明する。この補充処理においては、補充金庫２６に収容されている堆積紙幣（図６（ａ））から新券が順次繰り出され、鑑別部２３を経由することによって、その種別（千円券、または万円券）や新旧を判別され、スタッカ２４−１、または２４−２に収容される（図６（ｂ））。尚、例えば補充金庫２６に紙幣を補充する際に誤って旧紙幣を補充する場合もある。このような場合には、新旧分別モードにおいては、鑑別部２３によって旧紙幣と判別された紙幣は、回収金庫２５へ収容される。また、この補充処理に伴って生じる可能性がある、紙幣処理装置の動作休止を回避する方法については後述する。
【００２８】
次に、図７を参照して、（５）精査処理について説明する。この精査処理は、自動機内に収容されているはずの紙幣の残高と、紙幣の実際の有高とを照合すると共に、自動機内に混在している新旧券を分離させる処理である。この処理においては、スタッカ２４−１に収容されている（堆積）紙幣（図７（ａ））が、順次繰り出され、鑑別部２３を経由することによって、その種別（千円券、または万円券）や新旧を判別され、新券は補充金庫２６に、また、旧券は回収金庫２５に収容する（図７（ｂ））。尚、スタッカ２４−１の処理が終われば、スタッカ２４−２に対象を移し同様の処理を繰り返す。
【００２９】
以上説明したような動作を行う紙幣処理装置において、その装置動作が旧紙幣（旧券）回収との関係において休止する場合としては、例えば以下の２つの場合がある。
【００３０】
まず、第１の場合として、新券の収容量（スタッカと補充金庫との和）が所定量以下になった場合の補充処理がある。このような場合には、上記した補充処理において、補充すべき新券が不足することにより、装置の出金動作が休止する可能性がある。本実施形態においては、その休止を回避するために以下に示すような方法を用いる。
【００３１】
新券の収容量（スタッカと補充金庫との和）が所定量以下になった場合、すなわち、図８に示すように、スタッカ２４−１、２４−２の少なくとも１つが収容する紙幣と、補充金庫２６とが収容する紙幣の和が所定量以下になった場合、回収金庫２５に収容されている旧券（図８（ａ））を、鑑別部２３を経由してその所定量以下になったスタッカ２４−１、２４−２の少なくとも１つに補充する（図８（ｂ）参照、ただし、図中では説明の簡略化のためスタッカ２４−１にのみ補充している）。
【００３２】
このようにすることで、回収のために回収金庫２５に集めた旧紙幣の収集量は一旦減るが、紙幣処理装置２０が新紙幣不足のために休止することを避けることが可能となり、紙幣処理装置２０の動作休止の期間短縮と、旧紙幣回収とを両立させることができる。尚この際、新紙幣が不足していることを示す情報を送信し、速やかに補充金庫２６に新紙幣を入れることが望ましい。
【００３３】
尚、上記したように新券の収容量が所定量以下になった場合に行われる処理によって、スタッカ２４−１、及び２４−２の少なくとも１つには、新券と旧券とが混在することになる（図９（ａ）、図１０（ａ）参照）。そして、そのことに対応して、出金処理においては、その新旧券が混在したスタッカ２４−１、または２４−２の少なくとも１つから鑑別部２３を介して、入出口２１に新旧券が集められる（図９（ｂ）参照）。また、精査処理においては、その新旧券が混在したスタッカ２４−１、または２４−２の少なくとも１つから鑑別部２３を介して、新旧券が補充金庫２６、または回収金庫２５に収容される。すなわち、新券は補充金庫２６に、また、旧券は回収金庫２５に収容される（図１０（ｂ）参照）。
【００３４】
尚、上記したスタッカ２４−１、２４−２の少なくとも１つが収容する紙幣と、補充金庫２６とが収容する紙幣の和が所定量以下になった場合には、入金収納処理時に、プール部２２に入金された紙幣（図１１（ａ）参照）を鑑別部２３を経由させた後、新旧を問わずにスタッカ２４−１、または２４−２に収容するようにしたり（図１１（ｂ）参照、上記運用パターン１に相当）、また、入金収納処理時に、プール部２２に入金された紙幣（図１２（ａ）参照）を鑑別部２３を経由させた後、新券はスタッカ２４−１、または２４−２へ収容し、旧券は、回収金庫２５に収容するようにしたりすることもできる（図１２（ｂ）参照、上記運用パターン２に相当）。
【００３５】
次に、紙幣処理装置の装置動作が旧紙幣（旧券）回収との関係において休止する第２の場合として、図１３（ａ）に示すように、回収金庫２５が満杯になった場合がある。このような場合に、入金収納処理により旧券を処理する場合を考えると、その旧券は回収金庫２５に収容されることになるが、その際、回収金庫２５は満杯であるので、この旧券の収容を受け付けず、上記した装置の入金動作の休止状態となる。本実施形態においては、この回収金庫２５が満杯になることによる入金の休止を回避するために以下に示すような方法を用いる。
【００３６】
すなわち、図１３（ｂ）に示すように、入金収納処理時に、プール部２２から鑑別部２３を経由した紙幣の内で旧紙幣を補充金庫２６に、また、新紙幣をスタッカ２４−１、または２４−２に収容する。
【００３７】
尚、この際、例えば図１４（ａ）に示すように、回収金庫２５と補充金庫２６とが共に満杯になった場合には、図１４（ｂ）に示すように、補充金庫２６の（堆積）紙幣から紙幣が繰り出され、鑑別部２３を経由してスタッカ２４−１、または２４−２に補充する補充処理を行なう。このような補充処理を行なえば、図１３（ａ）に示す回収金庫２５が満杯になる場合においても、図１３（ｂ）に示すプール部２２から鑑別部２３を経由した紙幣を補充金庫２６に収容する入金収納処理を行なうことができる。
【００３８】
このようにすることで、回収のために集めた旧紙幣の一部を再び出金用の紙幣として補充金庫２６、スタッカ２４−１に収容することになるが、紙幣処理装置２０が回収金庫２５が満杯になることによって入金が休止することを回避することが可能となり、紙幣処理装置２０の動作休止の期間短縮と、旧紙幣回収とを両立させることができる。尚この際、旧紙幣の回収金庫２５が満杯であることを示す情報を送信し、速やかに回収金庫２５を交換することが望ましい。
【００３９】
図１５に入金収納処理のフローチャートを示す。このフローチャートは、図１の制御部３０が、紙幣処理部２０と各種情報をやり取りすることによって上記した金庫やスタッカ内の紙幣を増減させる処理である。尚、例えば制御部３０は、ＣＰＵとメモリとの組み合わせに対応し、そのメモリにロードされたプログラムがこのフローチャートにおける各処理（判定）を行なう。
【００４０】
まず、ステップＳ１０１で、新旧分別モードか否かを判定する。この判定は、上記の管理者等が設定した第１のフラグの値を図１の制御部３０が受け取ることによって行われる。この判定の結果、新旧分別モードであれば、ステップＳ１０２に、また、新旧分別モードでなければ、すなわち、新旧混在モードであれば、ステップＳ１０４に、それぞれ進む。
【００４１】
ステップＳ１０２では、新紙幣の収容量（スタッカと補充金庫との和）が所定量以下であり、かつ、運用パターン１によって運用されているかが判定される。もし、新紙幣の収容量が所定量以下であり、かつ、運用パターン１によって運用されていれば、ステップＳ１０３に進む。また、新紙幣の収容量が所定量を越えるか、または、運用パターン１によって運用されていなければ、ステップＳ１０４に進む。ステップＳ１０４では、制御部３０は、新券、旧券を問わずスタッカ２４−１、または２４−２に収容する入金収納処理を行なうように指示を出し（図１１（ｂ）参照）、一連の入金収納処理を終了する。
【００４２】
また、ステップＳ１０３では、回収金庫２５が現在自動機にセットされており、かつ、回収金庫２５の紙幣の収容量が所定量以下であるかが判定される。もし、回収金庫２５が現在自動機にセットされており、かつ、回収金庫２５の紙幣の収容量が所定量以下であることを示す情報を制御部３０が受け取ると、制御部３０は、新券をスタッカ２４−１、または２４−２に収容し、かつ、旧券を回収金庫２５に収容する入金収納処理を行なうように指示を出し（Ｓ１０５、図４（ｂ）参照）、一連の入金収納処理を終了する。
【００４３】
一方、回収金庫２５が現在自動機にセットされていないか、または、回収金庫２５の紙幣の収容量が所定量を越えていれば、そのことを示す情報を受け取った制御部３０は、補充金庫２６の紙幣の収容量が所定量を越えているか判定し（Ｓ１０６）、補充金庫２６の紙幣の収容量が所定量を越えていれば、上記ステップＳ１０４に進み、そのステップの処理を行うように指示を出す。また、補充金庫２６の紙幣の収容量が所定量を越えていなければ、新券をスタッカ２４−１、または２４−２に収容し、かつ、旧券を補充金庫２６に収容する入金収納処理を行なうように指示を出し（Ｓ１０７、図１３（ｂ）参照）、一連の入金収納処理を終了する。
【００４４】
図１６に補充処理のフローチャートを示す。このフローチャートは、図１の制御部３０が、紙幣処理部２０と各種情報をやり取りすることによって上記した金庫やスタッカ内の紙幣を増減させる処理である。
【００４５】
まず、ステップＳ２０１で、新旧分別モードか否かを上記第１のフラグを制御部３０が参照することで判定する。新旧分別モードでないと判定されれば、すなわち、新旧混在モードであると判定されればステップＳ２０３に進む。このステップＳ２０３では、新券、旧券を問わず補充金庫２６、または回収金庫２５からスタッカ２４−１、または２４−２に紙幣を補充して、一連の補充処理を終了する。
【００４６】
一方、ステップＳ２０１で新旧分別モードであると判定されれば、ステップＳ２０２に進む。ステップＳ２０２では、新券の収容量（スタッカと補充金庫との和）が所定量以下であるか判定する。もし所定量以下であれば、ステップＳ２０４に進み、旧券を回収金庫２５からスタッカ２４−１、または２４−２に補充して（図８（ｂ）参照）、一連の補充処理を終了する。
【００４７】
一方、所定量以下でなければ、ステップＳ２０５に進み、補充金庫２６の紙幣の収容量が所定量を越え、かつ、回収金庫２５の紙幣の収容量が所定量を越えたかを判定する。もし、補充金庫２６の紙幣の収容量が所定量を越え、かつ、回収金庫２５の紙幣の収容量が所定量を越えていれば、ステップＳ２０６に進み、補充金庫２６から紙幣（新券、旧券を問わない）を繰り出し、スタッカ２４−１、または２４−２に補充して（図１４（ｂ）参照）、一連の補充処理を終了する。
【００４８】
一方、ステップＳ２０５で、補充金庫２６の紙幣の収容量が所定量以下か、または、回収金庫２５の紙幣の収容量が所定量以下であれば、ステップＳ２０７に進み、新券を補充金庫２６からスタッカ２４−１、または２４−２に補充する。尚この際、回収金庫２５が満杯でなければ、補充金庫２６から繰り出された旧券を回収金庫２５に収容する。そして、一連の補充処理を終了する。
【００４９】
図１７に精査処理のフローチャートを示す。このフローチャートは、図１の制御部３０が、紙幣処理部２０と各種情報をやり取りすることによって自動機内に収容されているはずの紙幣の残高と、紙幣の実際の有高とを照合すると共に、自動機内に混在している新旧券を分離させる処理である。
【００５０】
まず、ステップＳ３０１で、補充金庫２６に新旧券が混在しているかを判定する。もし、混在していなければ、ステップＳ３０５に進む。
一方、混在していればステップＳ３０２に進み、回収金庫２５の紙幣の収容量が所定量を超えているか判定する。所定量を越えていれば、ステップＳ３０３に進み、回収金庫２５を交換する。すなわち、空の回収金庫２５をセットする。そして、ステップＳ３０４に進む。また、ステップＳ３０２で、所定量を越えていない場合もステップＳ３０４に進む。ステップＳ３０４では、旧券を補充金庫２６から回収金庫２５へ、また、新券を補充金庫２６から補充金庫２６へ、それぞれ移動する。そして、ステップＳ３０５へ進む。
【００５１】
Ｓ３０５では、スタッカ２４−１、または２４−２に新旧券が混在しているか判定している。新旧券が混在していれば、ステップＳ３０６に進み、スタッカ２４−１、または２４−２から旧券を回収金庫２５へ、また、スタッカ２４−１、または２４−２から新券を補充金庫２６へ、それぞれ移動して、一連の精査処理を終了する。また、新旧券が混在していなければ、ステップＳ３０７に進み、スタッカ２４−１、または２４−２から新券を補充金庫２６へ移動して、一連の精査処理を終了する。尚、この精査処理によって、自動機内の紙幣が新券と旧券に分離される。
【００５２】
また、以上の説明では、全ての処理を新旧分別モードで行なうか新旧混在モードで行なうかを示すフラグと、入金収納処理を新旧分別モードで行なうか新旧混在モードで行なうかを示すフラグとを管理者等によって設定する構成であった（設定がない場合は、それらのフラグにおけるデフォルト値が用いられる）。しかし、そのようなフラグを設けず、例えば新旧混在モードで装置を動作させてもよいし、また、新旧分別モードで装置を動作させてもよい。
【００５３】
図１８は、本実施形態の紙幣処理装置が備えられる自動機のハードウェアの一構成例である。図において、自動機は、顧客操作部、管理操作部、カードリーダ／ライタプリンタ部、通帳プリンタ部、紙幣リサイクル部、硬貨リサイクル部、電源部、音声案内部、ＩＤカードシステム部、ＡＶジャーナル用カメラ、遠隔監視制御部、回線制御部、ＨＤＤ、ＦＤ、ＣＤ−Ｒなどの記憶部、及びこれら各部を制御する主制御部を備える。上記紙幣リサイクル部は図１の紙幣処理部２０に対応し、上記主制御部は図１の制御部３０に対応する。尚、各部の動作については周知の技術であることからその説明は省略する。
【００５４】
尚、以上の説明は、紙幣で行ったが、紙幣以外の貨幣、例えば硬貨などにも本発明の旧紙幣回収機能を適用することも可能である。その場合においても、入出金時に生じる可能性がある動作の休止期間を短縮する効果は、紙幣の場合同様に生じることはいうまでもない。
【００５５】
（付記１）  紙幣の入出金を行なう自動機に備えられた紙幣処理装置において、
新旧の紙幣の分別を行う鑑別手段と、
分別された新紙幣を収容するスタッカ手段と、
新紙幣を収容し、前記スタッカ手段の紙幣の量が所定枚数以下の場合に前記新紙幣を前記スタッカ手段に補充する補充用紙幣収容手段と、
分別された旧紙幣を収容する旧紙幣回収手段とを備えることを特徴とする紙幣処理装置。
【００５６】
（付記２）  出金動作、または入金動作の休止を回避するように前記各手段の少なくとも１つを制御する制御手段をさらに備えることを特徴とする付記１記載の紙幣処理装置。
【００５７】
（付記３）  前記制御手段は、前記スタッカ手段に収容された新紙幣が所定枚数以下になったとき、前記旧紙幣回収手段から前記スタッカ手段に補充を行うことにより出金休止を回避することを特徴とする付記２記載の紙幣処理装置。
【００５８】
（付記４）  前記制御手段は、前記スタッカ手段に収容された新紙幣が所定枚数以下になったとき、前記自動機に入金された紙幣のうちで、新紙幣を前記スタッカ手段に収容し、かつ、前記自動機に入金された紙幣のうちで、旧紙幣を前記旧紙幣回収手段に収容することにより出金休止を回避することを特徴とする付記２記載の紙幣処理装置。
【００５９】
（付記５）  前記制御手段は、前記旧紙幣回収手段がフルになった場合に、前記補充用紙幣収容手段に前記旧紙幣を格納して入金休止を回避することを特徴とする付記２記載の紙幣処理装置。
【００６０】
（付記６）  さらに入金が続き、前記補充用紙幣収容手段もフルになったとき、前記補充用紙幣収容手段から前記スタッカ手段に補充を行うことを特徴とする付記５記載の紙幣処理装置。
【００６１】
（付記７）  紙幣の入出金を行なう自動機に備えられた紙幣処理装置が行う紙幣処理の方法において、
鑑別手段により新旧の紙幣の分別を行い、
分別された新紙幣をスタッカ手段に収容し、
補充用紙幣収容手段に新紙幣を収容し、前記スタッカ手段の分別された新紙幣の量が所定枚数以下の場合に前記新紙幣を前記分別された新紙幣に補充し、
分別された旧紙幣を旧紙幣回収手段に収容することを特徴とする紙幣処理方法。
【００６２】
（付記８）  出金動作、または入金動作の休止を回避するように前記各手段の少なくとも１つを制御することを特徴とする付記７記載の紙幣処理方法。
（付記９）  前記スタッカ手段に収容された新紙幣が所定枚数以下になったとき、前記旧紙幣回収手段から前記スタッカ手段に補充を行うことにより出金休止を回避することを特徴とする付記８記載の紙幣処理方法。
【００６３】
（付記１０）  前記スタッカ手段に収容された新紙幣が所定枚数以下になったとき、前記自動機に入金された紙幣のうちで、新紙幣を前記スタッカ手段に収容し、かつ、前記自動機に入金された紙幣のうちで、旧紙幣を前記旧紙幣回収手段に収容することにより出金休止を回避することを特徴とする付記８記載の紙幣処理方法。
【００６４】
（付記１１）  前記旧紙幣回収手段がフルになった場合に、前記補充用紙幣収容手段に前記旧紙幣を格納して入金休止を回避することを特徴とする付記８記載の紙幣処理装置。
【００６５】
（付記１２）  さらに入金が続き、前記補充用紙幣収容手段もフルになったとき、前記補充用紙幣収容手段から前記スタッカ手段に補充を行うことを特徴とする付記１１記載の紙幣処理方法。
【００６６】
（付記１３）  貨幣の入出金を行なう自動機に備えられた貨幣処理装置において、
新旧の貨幣の分別を行う鑑別手段と、
分別された新貨幣を収容するスタッカ手段と、
新貨幣を収容し、前記スタッカ手段の貨幣の量が所定量以下の場合に前記新貨幣を前記スタッカ手段に補充する補充用貨幣収容手段と、
分別された旧貨幣を収容する旧貨幣回収手段とを備えることを特徴とする貨幣処理装置。
【００６７】
（付記１４）  貨幣の入出金を行なう自動機に備えられた貨幣処理装置が行う貨幣処理の方法において、
鑑別手段により新旧の貨幣の分別を行い、
分別された新貨幣をスタッカ手段に収容し、
補充用貨幣収容手段に新貨幣を収容し、前記スタッカ手段の分別された新貨幣の量が所定量以下の場合に前記新貨幣を前記分別された新貨幣に補充し、
分別された旧貨幣を旧貨幣回収手段に収容することを特徴とする貨幣処理方法。
【００６８】
【発明の効果】
以上、説明したように、本発明によれば、出金用紙幣を収容するスタッカに対する補充元としての補充金庫における紙幣の収容量が所定量以下になり装置動作が休止する可能性がある場合でも、上記制御部によって、上記補充金庫に紙幣が補充されるので、装置動作の休止を回避することができ、旧紙幣の回収と、装置動作の休止期間の短縮とを両立させることが可能となる。
【００６９】
また、本発明によれば、旧紙幣の回収先としての回収金庫における紙幣の収容量が所定量を越え装置動作が休止する可能性がある場合でも、上記制御部によって、上記回収金庫から紙幣が移動するので、装置動作の休止を回避することができ、旧紙幣の回収と、装置動作の休止期間の短縮とを両立させることが可能となる。
【図面の簡単な説明】
【図１】本実施形態の紙幣処理装置の構成を示すブロック図である。
【図２】紙幣処理部の構成図である。
【図３】入金一次処理について説明する図である。
【図４】入金収納処理について説明する図である。
【図５】出金処理について説明する図である。
【図６】補充処理について説明する図である。
【図７】精査処理について説明する図である。
【図８】新券の収容量（スタッカと補充金庫との和）が所定量以下になった場合の補充処理を説明する図である。
【図９】新券の収容量（スタッカと補充金庫との和）が所定量以下になった場合の出金処理を説明する図である。
【図１０】新券の収容量（スタッカと補充金庫との和）が所定量以下になった場合の精査処理を説明する図である。
【図１１】新券の収容量（スタッカと補充金庫との和）が所定量以下になった場合の入金収納処理（運用パターン１）を説明する図である。
【図１２】新券の収容量（スタッカと補充金庫との和）が所定量以下になった場合の入金収納処理（運用パターン２）を説明する図である。
【図１３】回収金庫が満杯になった場合の入金収納処理を説明する図であり、（ａ）は、その回収金庫が満杯になった状態を、（ｂ）は、その際に行われる入金収納処理を、それぞれ示している。
【図１４】回収金庫と補充金庫とが共に満杯になった場合の補充処理を説明する図であり、（ａ）は、その回収金庫と補充金庫とが共に満杯になった状態を、（ｂ）は、その際に行われる補充処理を、それぞれ示している。
【図１５】入金収納処理のフローチャートである。
【図１６】補充処理のフローチャートである。
【図１７】精査処理のフローチャートである。
【図１８】自動機のハードウェア構成の一例である。
【符号の説明】
１０  紙幣処理装置
２０  紙幣処理部
２１  入出金口
２２  プール部
２３  鑑別部
２４−１，２４−２  スタッカ
２５  回収金庫
２６  補充金庫
３０  制御部
【図１】
2004213289.tif 000003
【図２】
2004213289.tif 000004
【図３】
2004213289.tif 000005
【図４】
2004213289.tif 000006
【図５】
2004213289.tif 000007
【図６】
2004213289.tif 000008
【図７】
2004213289.tif 000009
【図８】
2004213289.tif 000010
【図９】
2004213289.tif 000011
【図１０】
2004213289.tif 000012
【図１１】
2004213289.tif 000013
【図１２】
2004213289.tif 000014
【図１３】
2004213289.tif 000015
【図１４】
2004213289.tif 000016
【図１５】
2004213289.tif 000017
【図１６】
2004213289.tif 000018
【図１７】
2004213289.tif 000019
【図１８】
2004213289.tif 000020